(57)【要約】      （修正有）【課題】沸騰水または沸騰水に近い熱水を使用者が直ちに得ることを可能にしたウォーターサーバを提供する。【解決手段】給水タンク３０から飲料水を供給するウォーターサーバ１０であって、装置本体２０に設けられ、給水タンク３０が着脱可能に装着される給水タンク装着部２２と、装置本体２０に着脱可能に設けられた電気ポットと４０、電気ポット４０の水供給口に嵌合する注水体６０を先端に有し、給水タンク装着部２２に装着された給水タンク３０からの水を注水体６０を介して電気ポット４０に給水する給水路と、注水体６０に設けられ、電気ポット４０内の水が加熱された際に生じる水蒸気を大気中に排出させるための水蒸気排出手段と、を有していることを特徴とする。【選択図】図１
2015101362.tif 000002
【特許請求の範囲】
【請求項１】
給水タンクから飲料水を供給するウォーターサーバであって、
装置本体に設けられ、前記給水タンクが着脱可能に装着される給水タンク装着部と、
前記装置本体に着脱可能に設けられた電気ポットと、
前記電気ポットの水供給口に嵌合する注水体を先端に有し、前記給水タンク装着部に装着された前記給水タンクからの水を前記注水体を介して前記電気ポットに給水する給水路と、
前記注水体に設けられ、前記電気ポット内の水が加熱された際に生じる水蒸気を大気中に排出させるための水蒸気排出手段と、
を有していることを特徴とするウォーターサーバ。
【請求項２】
前記注水体を前記水供給口に対して接離動させると共に、前記注水体と前記水供給口との嵌合状態および非嵌合状態のそれぞれの状態を維持可能にする注水体駆動部をさらに有していることを特徴とする請求項１記載のウォーターサーバ。
【請求項３】
前記注水体駆動部は、前記注水体を吊持する複数のコイルスプリングが前記装置本体に取り付けられて成り、
前記複数のコイルスプリングは、前記コイルスプリングの伸縮方向を径方向とする円の周方向に回動可能であって、
前記コイルスプリングが、最大圧縮位置を両側に超えることにより、前記注水体を前記水供給口方向に付勢可能で、かつ、前記注水体を前記水供給口から離反する方向に付勢可能であることを特徴とする請求項２記載のウォーターサーバ。
【請求項４】
前記給水路は前記注水体の側面に接続されていて、
前記水蒸気排出手段は、前記注水体に対する前記給水路の接続位置よりも上側位置に取り付けられていることを特徴とする請求項１〜３のうちのいずれか一項に記載のウォーターサーバ。
【請求項５】
前記水蒸気排出手段は、一端部が前記注水体に接続され、他端部が大気中に連通する管体であることを特徴とする請求項１〜４のうちのいずれか一項に記載のウォーターサーバ。
【請求項６】
前記水蒸気排出手段には、前記電気ポットへの電力供給のオンオフを切り替えする切り替えスイッチとなるサーモスタットが配設されていることを特徴とする請求項１〜５のうちのいずれか一項に記載のウォーターサーバ。
【請求項７】
前記サーモスタットは前記水蒸気排出手段の複数箇所に配設されていて、該複数のサーモスタットは、前記注水体から離反するに従って作動温度が徐々に低くなっていることを特徴とする請求項６記載のウォーターサーバ。
【請求項８】
前記水供給口は前記電気ポットの上面に配設されていて、
前記電気ポットの底面には、電力供給用接点を露出させた電力供給接点付凹部が形成されていて、
前記装置本体には、電源と電気的に接続されていて、前記電力供給接点付凹部に凹凸嵌合すると共に、前記電源と前記電力供給接点付凹部の接点と接触する接点を有する電力供給接点付凸部が形成されていて、
前記電気ポットは、前記注水体と前記電力供給用接点付凸部とにより挟持された状態で電力が供給されていることを特徴とする請求項１〜７のうちのいずれか一項に記載のウォーターサーバ。
【発明の詳細な説明】
【技術分野】
【０００１】
本発明はウォーターサーバに関し、より詳細には、着脱可能な電気ポットに収容した水を沸騰させた状態で供給することが可能なウォーターサーバに関する。
【背景技術】
【０００２】
給水タンクを有し、給水タンク内の飲料水を冷却または加熱して冷水や熱水を供給することが可能なウォーターサーバが広く流通している。
このようなウォーターサーバには例えば特許文献１，２に開示されているような構成のものが知られている。
【先行技術文献】
【特許文献】
【０００３】
【特許文献１】特開２０１３−２２４１６３号公報
【特許文献２】特開２０１３−２１２８５８号公報
【発明の開示】
【発明が解決しようとする課題】
【０００４】
特許文献１および特許文献２に開示されているウォーターサーバは、冷水と熱水の両方を提供することができるとされているが、熱水についてはいずれも摂氏９０度程度が上限温度とされており、ウォーターサーバから沸騰水を直ちに得ることはできないという課題がある。
【０００５】
本発明は、沸騰水または沸騰水に近い熱水を使用者が直ちに得ることを可能にしたウォーターサーバの提供を目的としている。
【０００６】
以上の目的を達成するため本願発明者が鋭意研究した結果、従来のウォーターサーバにおいては、熱水を生成して保存するポットは、保温性能を高めるためにポットを密閉した構成が採用されていること、また、ポットに収容した水を加熱した際に、水温が摂氏９４度以上になるとポットの内部圧力が急激に高まること、をそれぞれ見出した。これらにより、ポット内の水温が沸騰する直前において、急激に上昇するポットの内部圧力をポットの内部から開放させることができれば、ポット内の熱水を沸騰水または沸騰水と同程度の温度で保存することが可能であることを見出し、本願発明に想到した。
【課題を解決するための手段】
【０００７】
すなわち、本願発明は、給水タンクから飲料水を供給するウォーターサーバであって、装置本体に設けられ、前記給水タンクが着脱可能に装着される給水タンク装着部と、前記装置本体に着脱可能に設けられた電気ポットと、前記電気ポットの水供給口に嵌合する注水体を先端に有し、前記給水タンク装着部に装着された前記給水タンクからの水を前記注水体を介して前記電気ポットに給水する給水路と、前記注水体に設けられ、前記電気ポット内の水が加熱された際に生じる水蒸気を大気中に排出させるための水蒸気排出手段と、を有していることを特徴とするウォーターサーバである。
【０００８】
これによれば、電気ポット内の水蒸気の圧力を大気中に放出することができるため、ウォーターサーバに装着した状態の電気ポットに収容する飲料水を沸騰水または沸騰水に近い状態に維持することができ、使用者が必要とするときに直ちに沸騰水または沸騰水に近い熱水を提供することが可能なウォーターサーバを構成することができる。
【０００９】
また、前記注水体を前記水供給口に対して接離動させると共に、前記注水体と前記水供給口との嵌合状態および非嵌合状態のそれぞれの状態を維持可能にする注水体駆動部をさらに有していることが好ましい。
【００１０】
これによれば、電気ポットの水供給口に注水体を嵌合させた状態および非嵌合状態をそれぞれ維持可能になるから、装置本体に対する電気ポットの着脱を容易に行うことができる。また、水供給口と注水体との嵌合および非嵌合状態に応じて、ウォーターサーバの動作を設定することが可能になるから、使い勝手の良好なウォーターサーバを提供することができる。
【００１１】
また、前記注水体駆動部は、前記注水体を吊持する複数のコイルスプリングが前記装置本体に取り付けられて成り、前記複数のコイルスプリングは、前記コイルスプリングの伸縮方向を径方向とする円の周方向に回動可能であって、前記コイルスプリングが、最大圧縮位置を両側に超えることにより、前記注水体を前記水供給口方向に付勢可能で、かつ、前記注水体を前記水供給口から離反する方向に付勢可能であることが好ましい。
【００１２】
これにより、注水体駆動部の構成を簡素化することができ、注水体駆動部の故障が少なく安価なウォーターサーバを提供することができる。
【００１３】
また、前記給水路は前記注水体の側面に接続されていて、前記水蒸気排出手段は、前記注水体に対する前記給水路の接続位置よりも上側位置に取り付けられていることが好ましい。
【００１４】
これによれば、給水路から電気ポットに水を供給する際において水蒸気排出手段に水が入り込むことがなく、電気ポット内の内圧を大気中に開放させる際に水蒸気が給水路に入り込むことがないため、水や水蒸気が意図しない部分へ進入することを防ぐことができる。この結果、故障のおそれが少ない動作信頼性が高いウォーターサーバを簡易な構成にて実現することができる。
【００１５】
また、前記水蒸気排出手段は、一端部が前記注水体に接続され、他端部が大気中に連通する管体であることが好ましい。
【００１６】
これによれば、水蒸気排出手段が簡易な構成になるため、ウォーターサーバの製造コストが低減し、ウォーターサーバを安価に提供することが可能になる。
【００１７】
また、前記水蒸気排出手段には、前記電気ポットへの電力供給のオンオフを切り替えする切り替えスイッチとなるサーモスタットが配設されていることが好ましい。
【００１８】
これによれば、電気ポット内の熱水の温度管理を適正化および省力化することができる。
【００１９】
また、前記サーモスタットは前記水蒸気排出手段の複数箇所に配設されていて、該複数のサーモスタットは、前記注水体から離反するに従って作動温度が徐々に低くなっていることが好ましい。
【００２０】
これによれば、電気ポット内の熱水の温度管理の信頼性を向上させることができる。
【００２１】
また、前記水供給口は前記電気ポットの上面に配設されていて、前記電気ポットの底面には、電力供給用接点を露出させた電力供給接点付凹部が形成されていて、前記装置本体には、電源と電気的に接続されていて、前記電力供給接点付凹部に凹凸嵌合すると共に、前記電源と前記電力供給接点付凹部の接点と接触する接点を有する電力供給接点付凸部が形成されていて、前記電気ポットは、前記注水体と前記電力供給用接点付凸部とにより挟持された状態で電力が供給されていることが好ましい。
【００２２】
これによれば、電気ポットを装置本体に対して確実に固定することができるため、沸騰水または沸騰水に近い熱水を収容した電気ポットが装置本体から不意に脱落してしまうおそれがなく、安全なウォーターサーバを提供することができる。
【発明の効果】
【００２３】
本発明にかかるウォーターサーバの構成によれば、電気ポットに収容した水を加熱した際において沸騰直前に急激に上昇する電気ポットの内部圧力を電気ポットの保温機能を損なうことなく大気中に解放させることができるため、電気ポット内の熱水を沸騰水または沸騰水に近い温度で維持することが可能になる。これにより、ウォーターサーバから沸騰水または沸騰水に近い熱水を使用者に直ちに提供することができる。
【図面の簡単な説明】
【００２４】
【図１】本実施形態にかかるウォーターサーバの斜視図である。
【図２】図１内のＡ部分における拡大正面図である。
【図３】本実施形態にかかるウォーターサーバの内部構造の概略を示す斜視図である。
【図４】本実施形態にかかるウォーターサーバの注水体駆動部の動作説明図である。
【図５】本実施形態にかかるウォーターサーバの内部構造の概略を示す斜視図である。
【図６】注水体とこれに接続された水蒸気排出手段としてのシリコンチューブの斜視図である。
【図７】電気ポットの水供給口と注水体との非嵌合状態を示すＡ部分の拡大正面図である。
【発明を実施するための形態】
【００２５】
以下、本発明にかかるウォーターサーバの実施形態について、図面に基づいて説明する。
本実施形態におけるウォーターサーバ１０は、図１および図2に示すように、装置本体２０と、装置本体２０の上面に形成された給水タンク装着部２２に着脱可能に装着された給水タンク３０と、装置本体２０に着脱可能な電気ポット４０を有している。
【００２６】
装置本体２０に設けられた給水タンク装着部２２は、装置本体２０の上面に開口する凹部形状に形成されていて、装着された給水タンク３０に充てんされている飲料水の一部が、給水タンク装着部２２の内底部に貯留可能になっている。このような給水タンク装着部２２の底面には、図３に示すように、給水路５０の一端が給水タンク装着部２２の内底面に連通させた状態で接続されている。本実施形態では、給水タンク装着部２２に２本の給水路５０が接続されている。本実施形態においては、給水路５０にシリコンチューブを採用した。
一方の給水路５０の他端（下流側端部）には熱水を生成する電気ポット４０に嵌合可能な注水体６０が接続されていて、他方の給水路５０の他端は冷水生成部７０の冷水タンク７２に接続されている。いずれの給水路５０においても、給水タンク装着部２２からの水の流入を制御するための給水手段が配設されている。
【００２７】
図１および図２に示すように装置本体２０の正面には複数の操作ボタン２４，２４，・・・が配設されている。これらのうち適切な操作ボタン２４を使用者が操作することにより、ウォーターサーバ１０の適宜動作が実行されることになる。各操作ボタン２４，２４，・・・に対応するウォーターサーバの具体的な動作についての詳細な説明は省略する。
【００２８】
本実施形態にかかるウォーターサーバ１０が具備する電気ポット４０および冷水生成部７０は、公知の構成を採用することができる。たとえば、電気ポット４０としては、商用電源から供給された電力により内蔵したヒータ４２を発熱させて、電気ポット４０内に収容した水を加熱する構成を採用することができる。また、冷水生成部７０としては、ペルチェ素子やコンプレッサを用いた公知の冷却手段を採用することができる。冷水タンク７２は、ステンレス製のタンクが好適に用いられ、発泡樹脂に代表される断熱材料により形成された保温カバー７４によって被覆した構成を採用している。
【００２９】
また、図２に示すように、電気ポット４０の底面には電気ポット４０に内蔵されているヒータ４２に装置本体２０からの電力を供給すると共に装置本体２０に対する電気ポット４０の安定的な設置をするための電力供給接点付凹部４６が形成されている。また、装置本体２０においては、電気ポット４０の設置位置に電力供給接点付凹部４６と凹凸嵌合し、電力供給接点付凹部４６の電力供給接点と接触可能な接点を有する電力供給接点付凸部２６が形成されている。このように、装置本体に２０に電気ポット４０が正しく設置された（電力供給接点付凹部４６と電力供給接点付凸部２６が互いの接点が接触した状態）場合においてのみ、電気ポット４０に電力供給がなされるよう図示しない制御盤により電源供給制御がなされている。
【００３０】
このように装置本体２０にセットされた電気ポット４０は、電気ポット４０の上面および底面のそれぞれ対向する位置において凹凸嵌合部を有していることから上下に挟持された状態になっているため、電気ポット４０が不意に装置本体２０から脱落してしまうおそれがなく、安全なウォーターサーバ１０にすることができる。
【００３１】
給水タンク３０内の飲料水は、上端が給水タンク装着部２２の底部に接続された給水路５０を経由した後、給水路５０の下端に接続され、電気ポット４０の上面に形成された水供給口４４に凹凸嵌合する注水体６０を介して電気ポット４０に供給される。より詳細には、図１〜図３に示すように、使用者が装置本体２０の正面に配設されたポット給水用の操作ボタン２４を押下すると、注水体６０が電気ポット４０の水供給口４４に接近し、凹凸嵌合すると共に、給水路５０の経路上に配設した給水ポンプ３２が作動し、給水タンク３０、給水タンク装着部２２、給水路５０、注水体６０、水供給口４４を介して電気ポット４０に水が供給される。
【００３２】
このように注水体６０は、注水体駆動部８０により電気ポット４０の水供給口４４に対して接離動可能に保持されている。本実施形態における注水体駆動部８０は、コイルスプリング８１を用いた飛び移り型の回動機構を採用している。なお、図４（Ａ）は、注水体６０が電気ポット４０の水供給口４４と凹凸嵌合している状態を示し、図４（Ｂ）は、注水体６０が電気ポット４０の水供給口４４から離反している状態を示している。
【００３３】
図４に示す注水体駆動部８０は、注水体６０の中心軸線ＣＬに対して左右対称の構成をなしている。本実施形態の注水体駆動部８０は、一端部が装置本体２０に取り付けられ、他端部が注水体６０に係合された複数のコイルスプリング８１を有し、コイルスプリング８１がコイルスプリング８１の伸縮方向を径方向とする円の円周方向に沿って回動可能とした構成を有している。
【００３４】
装置本体２０には保持体８２が形成または固定されている。保持体８２にはキャップ体８３がピン接合によって回動可能に取り付けられている。コイルスプリング８１の内部にはコイルスプリング８１の自然長よりも短いスプリング保持ロッド８４が挿通されていて、コイルスプリング８１とスプリング保持ロッド８４の一端部がキャップ体８３に差し込まれている。スプリング保持ロッド８４の他端部には、注水体６０とピン連結させる連結部８５と、コイルスプリング８１の他端部を当接させるスプリング当接部８６が形成されている。また、図４（Ａ）および図４（Ｂ）に示すように、スプリング保持ロッド８４はコイルスプリング８１の付勢力によって、注水体６０側に付勢され、スプリング保持ロッド８４の一端部とキャップ体８３の内底面とが常に離反した状態でキャップ体８３に保持されている。
【００３５】
このような構成を採用することにより、コイルスプリング８１の最大圧縮位置である、保持体８２とキャップ体８３とのピン接合部分Ｐ，Ｐどうしを結んだ線ＤＬの位置に対し、連結部８５の位置が少しでも下側になれば、注水体６０に作用するコイルスプリング８１の付勢力がピン接合部分Ｐから斜め下向きに作用し、注水体６０と電気ポット４０の水供給口４４とが凹凸嵌合した状態（図４（Ａ）に示す状態）が維持されることになる。これとは反対に、線ＤＬに対して連結部８５の位置が少しでも上側になれば、注水体６０に作用するコイルスプリング８１の付勢力が、ピン接合部Ｐから斜め上側に作用し、注水体６０と電気ポット４０の給水口４４との凹凸嵌合を解除し、互いに離反した状態（図４（Ｂ）に示す状態）が維持されることになる。
ここで図４中の線Ｈは、本体装置２０に電気ポット４０をセットした状態における水供給口４４の高さ位置を示すものである。
【００３６】
図４（Ｂ）に示す状態において装置本体２０に電気ポット４０をセットした状態で、使用者がポット給水用の操作ボタン２４を押下すると、図示しないアクチュエータがコイルスプリング８１の付勢力に抗して注水体６０を下方に押し下げる。注水体６０が下方に移動すると、コイルスプリング８１がスプリング当接部８６とキャップ体８３の内底面との間で収縮されると共に、スプリング保持ロッド８４の端部とキャップ体８３の内底面との離間距離を縮めつつ、連結部８５が下降する。そして連結部８５が線ＤＬを超え連結部８５の位置が線ＤＬよりも下側になると、コイルスプリング８１の付勢力が斜め下側に作用し、注水体６０は一気に電気ポット４０の水供給口４４と凹凸嵌合する（図４（Ａ）に示す状態になる）。注水体６０は、注水体６０に対して斜め下向きに作用するコイルスプリング８１の付勢力により電気ポット４０の水供給口４４に付勢されているため、注水体６０と電気ポット４０の水供給口４４との凹凸嵌合状態を維持させることができる。
【００３７】
また、注水体６０には、注水体６０と電気ポット４０の水供給口４４が連結されている状態においてオンになる接触スイッチＳ１，Ｓ２（図３参照）が取り付けられており、接触スイッチＳ１，Ｓ２が接触した状態においてのみ、図示しない制御盤が給水ポンプ３２を作動させて、注水体６０を介して電気ポット４０に給水タンク３０からの水が供給されるように設定されている。
【００３８】
以上のようにして、電気ポット４０の水供給口４４に注水体６０が連結されると、図示しない制御盤は電気ポット４０のヒータ４２に電力を供給し、電気ポット４０に収容された水を加熱し、電気ポット４０内で熱水を生成させる。先述のように、電気ポット４０に収容された水の温度が摂氏９４度程度に到達すると、水蒸気により電気ポット４０の内部圧力が急激に高まることになる。
【００３９】
このような電気ポット４０内における急激な圧力上昇に対し、本実施形態においては注水体６０の上端面に水蒸気排出手段として、シリコンチューブ９０の一端部を接続すると共に、シリコンチューブ９０の他端部を大気中に開口させた構成を採用している。このような構成をウォーターサーバ１０に適用することで、電気ポット４０内で発生した水蒸気は、シリコンチューブ９０を介して大気中に排出されるため、電気ポット４０の内部圧力を適正な圧力状態に維持することができ、ひいては沸騰水または沸騰水に近い温度の熱水を電気ポット４０に収容しておくことが可能になっている。
【００４０】
なお、給水路５０は、図４および図５に示すように、注水体６０に対するシリコンチューブ９０の取り付け高さ位置よりも下側位置に接続されているため、電気ポット４０への水の供給や電気ポット４０の内部から水蒸気を排出させる際に、給水路５０とシリコンチューブ９０とが互いの給水動作や水蒸気排出動作の邪魔になることはない。
【００４１】
また、シリコンチューブ９０の中途位置には、図５および図６に示すように、サーモスタット９２Ａ，９２Ｂが配設されている。これにより、シリコンチューブ９０内を通過する水蒸気の温度が予め設定されている温度以上であることを検出した場合に、図示しない制御盤に電気ポット４０への電力供給をストップさせるための信号を送信することが可能になっている。本実施形態においては、シリコンチューブ９０の複数箇所にサーモスタット９２Ａ，９２Ｂを配設した。シリコンチューブ９０の延長に沿って所要間隔をあけて配設されたそれぞれのサーモスタット９２Ａ，９２Ｂは、注水体６０から離反するに伴って図示しない制御盤への信号を送信する際のトリガーとなる設定温度が徐々に低くなるように設定されている。
【００４２】
このように複数のサーモスタット９２Ａ，９２Ｂをシリコンチューブ９０に配設することにより、電気ポット４０のヒータ４２への電力供給のオンオフ切り替えを適切に制御し、電気ポット４０の消費電力を抑制することができると共に、いずれかのサーモスタット９２Ａまたは９２Ｂが故障した場合であっても、残りのサーモスタット９２Ｂまたは９２Ａによる電気ポット４０のヒータ４２への電力供給のオンオフを図示しない制御盤に制御させることが可能になる。
【００４３】
シリコンチューブ９０の他方の端部は、図６に示すように大気中に連通しているため、電気ポット４０から排出された水蒸気はウォーターサーバ１０の外部に排出されることになる。本実施形態においては、装置本体２０の電気ポット４０の設置位置に隣接配置した冷水供給部７６に設けられた水受皿２８の内部空間にシリコンチューブ９０の他端部を連通させている。このような構成を採用することで、シリコンチューブ９０から排出された水を大気中に蒸発させる（排出させる）ことができると共に、水受皿２８を装置本体２０（冷水供給部７６）から取り外せば、電気ポット４０から排出された水蒸気が結露して生じた水を直ちに排水処理をすることが可能であり好都合である。
【００４４】
このように本実施形態におけるウォーターサーバ１０は、装置本体２０に配設した電気ポット４０内の熱水を沸騰水または沸騰水に近い温度の熱水にすることができ、使用者が必要としているタイミングに合わせて沸騰水や沸騰水に近い熱水を直ちに提供することができる。電気ポット４０は開口部である水供給口４４を有しているものの、水供給口４４には注水体６０が密着した状態で連結されており、注水体６０にはシリコンチューブ９０が接続されている。したがって電気ポット４０に開口部である水供給口４４が配設されていても、断面積が小さいシリコンチューブ９０を数十センチメートルにわたって経由した後に大気中に連通する構成になっているから、電気ポット４０は必要にして十分な保温性が確保されているのである。
【００４５】
なお、使用者が熱水を使用する際には、装置本体２０の正面にセットされた電気ポット４０を図２内の矢印Ａの向きに持ち上げることで、図２に示すように電気ポット４０の水供給口４４に凹凸嵌合していた注水体６０を図７に示すように上方に移動させて、水供給口４４と注水体６０の凹凸嵌合を解除し、互いに離反させることができる。注水体６０は、コイルスプリング８１の付勢力により移動先における位置が維持可能であるから、電気ポット４０の水供給口４４と注水体６０との非嵌合状態が維持され、電気ポット４０を装置本体２０から簡単に取り外すことが可能になる。このとき、電気ポット４０に電力が供給されている場合であっても、装置本体２０の電力供給接点付凸部２６と電気ポット４０の電力供給接点付凹部４６との接点どうしの接触が解除されるため、電気ポット４０への電力供給はストップさせることができる。
このように本実施形態にかかるウォーターサーバ１０は、安全性が高く、使い勝手に優れた優良なウォーターサーバである。
【００４６】
以上本発明にかかるウォーターサーバ１０について実施形態に基づいて詳細に説明したが、本発明にかかるウォーターサーバ１０の技術的範囲は、以上に説明した実施形態に限定されるものではない。例えば、本実施形態においては、図４に示すような注水体駆動部８０を有する構成について説明したが、注水体駆動部８０の構成は本実施形態に示した構成に限定されるものではない。他の形態例としては、流体シリンダやソレノイドアクチュエータ等により注水体６０を電気ポット４０の水供給口４４に接離動させる構成としてもよいし、注水体駆動部８０の構成は省略することもできる。この場合、注水体６０と装置本体２０との間に付勢手段を配設し、付勢手段の付勢力により注水体６０を電気ポット４０の水供給口４４に対して常時付勢させるようにしておけば、本実施形態と同程度の使い勝手を有するウォーターサーバ１０を提供することは十分可能である。
【００４７】
また、本実施形態においては、水蒸気排出手段としてのシリコンチューブ９０の延長方向に沿って複数のサーモスタット９２Ａ，９２Ｂが配設された形態を示しているがシリコンチューブ９０に配設するサーモスタット９２Ａ，９２Ｂはいずれか一つであってもよい。
また、本実施形態においては冷水生成部７０が設けられているが、冷水生成部７０の配設を省略し、熱水のみを提供するウォーターサーバ１０の形態を採用することも可能である。
【００４８】
また、注水体６０には側面に給水路５０が接続され、注水体６０の上端面にシリコンチューブ９０を取り付けした構成例について説明しているが、注水体６０に取り付けられるシリコンチューブ９０は必ずしも給水路５０の接続位置よりも上側の位置でなくてもよい。給水路５０から電気ポット４０への給水時にシリコンチューブ９０に水が進入することがなく、電気ポット４０の内部空間から排出される水蒸気が給水路５０に進入することがないような配設レイアウトになっていればよく、注水体６０に対する給水路５０およびシリコンチューブ９０の接続位置における互いの上下位置関係は特定の位置関係に限定されるものではない。
【００４９】
また、電気ポット４０の空焚き防止対策としては、図示しない重量検出センサが電気ポット４０の重量を計測し、計測した重量が予め設定した重量以下になった際には、図示しない制御盤が強制的に電気ポット４０のへの電力供給を停止させるようにしておくこともできる。
【００５０】
他の安全対策としては、電気ポット４０の電力供給接点付凹部４６と凹凸嵌合する電力供給接点付凸部２６の近傍位置に電気ポット４０の設置の有無を検出する図示しないスイッチを配設し、この図示しないスイッチが押下されている場合においてのみ、図示しない制御盤が電力供給接点付凸部２６の接点に電力を供給し、電気ポット４０が設置されていない場合（図示しないスイッチが押下されていない場合）には電力供給接点付凸部２６の接点への電力供給を停止する制御を行うようにしてもよい。これにより幼児等のいたずらによる感電事故を防止することができる。
【符号の説明】
【００５１】
１０  ウォーターサーバ、２０  装置本体、２２  給水タンク装着部、
２４  操作ボタン、２６  電力供給接点付凸部、２８  水受皿、３０  給水タンク、
３２  給水ポンプ、４０  電気ポット、４２  ヒータ、４４  水供給口、
４６  電力供給接点付凹部、５０  給水路、６０  注水体、７０  冷水生成部、
７２  冷水タンク、７４  保温カバー、７６  冷水供給部、８０  注水体駆動部、
８１  コイルスプリング、８２  保持体、８３  キャップ体、
８４  スプリング保持ロッド、８５  連結部、８６  スプリング当接部、
９０  シリコンチューブ、９２Ａ，９２Ｂ  サーモスタット、ＣＬ  給水体の中心軸線、
ＤＬ  保持体とキャップ体との接合部分を結んだ線、Ｈ  水供給口の高さ位置、
Ｐ  保持体とキャップ体とのピン接合部分、Ｓ１，Ｓ２  接触スイッチ
【図１】
2015101362.tif 000003
【図２】
2015101362.tif 000004
【図３】
2015101362.tif 000005
【図４】
2015101362.tif 000006
【図５】
2015101362.tif 000007
【図６】
2015101362.tif 000008
【図７】
2015101362.tif 000009